(57)【要約】【課題】柔軟回路の長さを短くして、コストおよびＥＭＩを減らすプラズマディスプレイ装置を提供する。【解決手段】本発明のプラズマディスプレイ装置は、プラズマディスプレイパネル１１と、前記プラズマディスプレイパネルを支持するシャーシーベース１５と、前記シャーシーベースの一側に備えられる印刷回路ボードアセンブリー１７と、前記プラズマディスプレイパネルの電極と前記印刷回路ボードアセンブリーを電気的に連結する柔軟回路２７と、を含み、前記柔軟回路は、前記印刷回路ボードアセンブリーの延長面と予め設定された角度で交差しながら前記印刷回路ボードアセンブリーに連結される。【選択図】図２
2009128896.tif 000002
【特許請求の範囲】
【請求項１】
プラズマディスプレイパネルと、
前記プラズマディスプレイパネルを支持するシャーシーベースと、
前記シャーシーベースの一側に備えられる印刷回路ボードアセンブリーと、
前記プラズマディスプレイパネルの電極と前記印刷回路ボードアセンブリーを電気的に連結する柔軟回路と、
を含み、
前記柔軟回路は、前記印刷回路ボードアセンブリーの延長面と予め設定された角度で交差しながら前記印刷回路ボードアセンブリーに連結されることを特徴とする、プラズマディスプレイ装置。
【請求項２】
前記柔軟回路は、
前記電極に連結される第１端と、
前記印刷回路ボードアセンブリーに連結される第２端と、
を含み、
前記第１端は、
前記電極の伸張方向と同一方向に向かって、
前記第２端は、
前記印刷回路ボードアセンブリーの延長面と交差する方向に向かうことを特徴とする、請求項１に記載のプラズマディスプレイ装置。
【請求項３】
前記電極はアドレス電極を含み、
前記印刷回路ボードアセンブリーはアドレスバッファーボードを含み、
前記柔軟回路において、
前記第１端は、前記アドレス電極の長手方向と同一方向に向かって、
前記第２端は、前記アドレスバッファーボードの延長面と交差する方向に向かうことを特徴とする、請求項２に記載のプラズマディスプレイ装置。
【請求項４】
前記シャーシーベースは、
前記プラズマディスプレイパネル側に向かって折り曲げられる折り曲げ部を含み、
前記柔軟回路は、
前記アドレス電極を制御するドライバー集積回路を実装して前記折り曲げ部を経由して配置され、
前記ドライバー集積回路を覆い、前記折り曲げ部と平行に配置されるカバープレートをさらに含むことを特徴とする、請求項３に記載のプラズマディスプレイ装置。
【請求項５】
前記柔軟回路と前記折り曲げ部との間に配置される放熱パッドと、
前記ドライバー集積回路と前記カバープレートとの間に配置されるサーマルグリースを含むことを特徴とする、請求項４に記載のプラズマディスプレイ装置。
【請求項６】
前記柔軟回路において、
前記第１端から延長される第１延長線と、
前記第２端から延長される第２延長線とは互いに垂直に交差することを特徴とする、請求項２〜５のいずれか１項に記載のプラズマディスプレイ装置。
【請求項７】
前記印刷回路ボードアセンブリーと前記柔軟回路との間に介されるコネクタをさらに含むことを特徴とする、請求項２〜６のいずれか１項に記載のプラズマディスプレイ装置。
【請求項８】
前記コネクタは、
前記柔軟回路に形成された第１端子に結合される第１結合口と、
前記印刷回路ボードアセンブリーに形成された第２端子に結合される第２結合口と、を含むことを特徴とする、請求項７に記載のプラズマディスプレイ装置。
【請求項９】
前記第１結合口および前記第２結合口は、
電気的に互いに連結されながら、互いに交差する方向に向かうことを特徴とする、請求項８に記載のプラズマディスプレイ装置。
【請求項１０】
前記柔軟回路は、
前記印刷回路ボードアセンブリーの延長面に対して垂直に交差する方向に連結されることを特徴とする、請求項１〜９のいずれか１項に記載のプラズマディスプレイ装置。
【請求項１１】
プラズマディスプレイパネルと、
前記プラズマディスプレイパネルを支持するシャーシーベースと、
前記シャーシーベースの一側に備えられるアドレスバッファーボードと、
前記プラズマディスプレイパネルのアドレス電極に前記アドレス電極の長手方向に沿って連結される柔軟回路と、
前記柔軟回路と前記アドレスバッファーボードを連結するコネクタと、を含み、
前記コネクタは、前記アドレスバッファーボードの端に連結されて、
前記柔軟回路は、前記アドレスバッファーボードの延長面と予め設定された角度で交差する方向に前記コネクタに連結されることを特徴とする、プラズマディスプレイ装置。
【請求項１２】
前記コネクタは、
前記柔軟回路に形成された第１端子に結合される第１結合口と、
前記アドレスバッファーボードに形成された第２端子に結合される第２結合口と、を含むことを特徴とする、請求項１１に記載のプラズマディスプレイ装置。
【請求項１３】
前記第１結合口および前記第２結合口は直角に配置されることを特徴とする、請求項１２に記載のプラズマディスプレイ装置。
【請求項１４】
前記柔軟回路は前記アドレス電極を制御するドライバー集積回路を実装するテープキャリアパッケージに形成されることを特徴とする、請求項１１〜１３のいずれか１項に記載のプラズマディスプレイ装置。
【請求項１５】
前記シャーシーベースは、
前記プラズマディスプレイパネル側に向かって折り曲げられる折り曲げ部を含み、
前記折り曲げ部の幅は、
前記ドライバー集積回路の幅より広くて前記プラズマディスプレイパネルの厚さの１/２より狭いことを特徴とする、請求項１４に記載のプラズマディスプレイ装置。
【請求項１６】
前記ドライバー集積回路は前記折り曲げ部に対応して配置され、
前記ドライバー集積回路を間において、前記折り曲げ部と平行な状態で前記折り曲げ部に装着されるカバープレートをさらに含むことを特徴とする、請求項１５に記載のプラズマディスプレイ装置。
【発明の詳細な説明】
【技術分野】
【０００１】
本発明は、プラズマディスプレイ装置に関し、より詳しくは、プラズマディスプレイパネルと印刷回路ボードアセンブリーを連結する曲り易い回路板（以下、柔軟回路とする）の長さを短くして、製造コストおよび電磁波（ＥＭＩ）を減らすプラズマディスプレイ装置に関する。
【背景技術】
【０００２】
周知のように、プラズマディスプレイ装置はプラズマディスプレイパネルに映像を表示する装置である。プラズマディスプレイパネルの電極（例えば、表示電極とアドレス電極）は柔軟回路を通じて、印刷回路ボードアセンブリーに電気的に連結される。
【０００３】
より具体的に説明すれば、柔軟回路において、一端は異方性導電フィルムを介在して電極に連結され、他端はコネクタを通して印刷回路ボードアセンブリーに連結される。
【０００４】
プラズマディスプレイパネルおよびシャーシーベースは互いに並んで配置されて付着され、またシャーシーベースに装着される印刷回路ボードアセンブリーはシャーシーベースと互いに並んだ状態を維持する。
【０００５】
柔軟回路の一端をプラズマディスプレイパネルの電極に付着すれば、柔軟回路はプラズマディスプレイパネルで電極の長手方向にぶら下げる。そして柔軟回路の他端を印刷回路ボードアセンブリーのコネクタに連結すれば、柔軟回路はシャーシーベースの一端で１８０度曲がった状態を維持する。
【０００６】
つまり、柔軟回路は、プラズマディスプレイパネルの電極と印刷回路ボードアセンブリーのコネクタを互いに連結するので、柔軟回路の両端は同じ方向に向かいながら、互いに平行な状態を維持する（例えば、“Ｕ”字形状である）。
【０００７】
柔軟回路は、ポリエステルまたはポリイミドのような耐熱性プラスチックフィルムを使用する基板であって、長さが長くなるほどコストおよびＥＭＩを増大させる。
【０００８】
柔軟回路の長さが長くなれば、ＥＭＩを遮蔽するための付加的な構成要素が要求される。
【発明の開示】
【発明が解決しようとする課題】
【０００９】
本発明は、上記問題点を解決するためになされたものであって、その目的は、回路ブロック間の接続などに用いる柔軟回路の長さを短くして、コストおよびＥＭＩを減らすプラズマディスプレイ装置を提供することにある。
【課題を解決するための手段】
【００１０】
本発明の一実施例によるプラズマディスプレイ装置は、プラズマディスプレイパネルと、前記プラズマディスプレイパネルを支持するシャーシーベースと、前記シャーシーベースの一側に備えられる印刷回路ボードアセンブリーと、前記プラズマディスプレイパネルの電極と前記印刷回路ボードアセンブリーを電気的に連結する柔軟回路と、を含み、前記柔軟回路は、前記印刷回路ボードアセンブリーの延長面と予め設定された角度で交差しながら前記印刷回路ボードアセンブリーに連結され得る。
【００１１】
前記柔軟回路は、前記電極に連結される第１端と、前記印刷回路ボードアセンブリーに連結される第２端と、を含み、前記第１端は、前記電極の伸張方向と同一方向に向かって、前記第２端は、前記印刷回路ボードアセンブリーの延長面と交差する方向に向かい得る。
【００１２】
前記電極はアドレス電極を含み、前記印刷回路ボードアセンブリーはアドレスバッファーボードを含み、前記柔軟回路において、前記第１端は、前記アドレス電極の長手方向と同一方向に向かって、前記第２端は、前記アドレスバッファーボードの延長面と交差する方向に向かい得る。
【００１３】
前記シャーシーベースは、前記プラズマディスプレイパネル側に向かって折り曲げられる折り曲げ部を含み、前記柔軟回路は、前記アドレス電極を制御するドライバー集積回路を実装して前記折り曲げ部を経由して配置され得る。
【００１４】
前記ドライバー集積回路を覆い、前記折り曲げ部と平行に配置されるカバープレートをさらに含み得る。
【００１５】
また、本発明の一実施例によるプラズマディスプレイ装置は、前記ドライバー集積回路を覆い、前記折り曲げ部と平行に配置されるカバープレートをさらに含み得る。
【００１６】
また、本発明の一実施例によるプラズマディスプレイ装置は、前記柔軟回路と前記折り曲げ部との間に配置される放熱パッドと、前記ドライバー集積回路と前記カバープレートとの間に配置されるサーマルグリースを含み得る。
【００１７】
前記柔軟回路において、前記第１端から延長される第１延長線と、前記第２端から延長される第２延長線とは互いに垂直に交差され得る。
【００１８】
また、本発明の一実施例によるプラズマディスプレイ装置は、前記印刷回路ボードアセンブリーと前記柔軟回路の間に介されるコネクタをさらに含み得る。
【００１９】
前記コネクタは、前記柔軟回路に形成された第１端子に結合される第１結合口と、前記印刷回路ボードアセンブリーに形成された第２端子に結合される第２結合口と、を含み得る。
【００２０】
前記第１結合口および前記第２結合口は、電気的に互いに連結されながら、互いに交差する方向に向かい得る。
【００２１】
前記柔軟回路は、前記印刷回路ボードアセンブリーの延長面に対して垂直に交差する方向に連結され得る。
【００２２】
また、本発明の一実施例によるプラズマディスプレイ装置は、プラズマディスプレイパネルと、前記プラズマディスプレイパネルを支持するシャーシーベースと、前記シャーシーベースの一側に備えられるアドレスバッファーボードと、前記プラズマディスプレイパネルのアドレス電極に前記アドレス電極の長手方向に沿って連結される柔軟回路と、前記柔軟回路と前記アドレスバッファーボードを連結するコネクタと、を含み、前記コネクタは、前記アドレスバッファーボードの端に連結されて、前記柔軟回路は、前記アドレスバッファーボードの延長面と予め設定された角度で交差する方向に前記コネクタに連結され得る。
【００２３】
前記コネクタは、前記柔軟回路に形成された第１端子に結合される第１結合口と、前記アドレスバッファーボードに形成された第２端子に結合される第２結合口と、を含み得る。
【００２４】
前記第１結合口および前記第２結合口は直角に配置され得る。
【００２５】
前記柔軟回路は前記アドレス電極を制御するドライバー集積回路を実装するテープキャリアパッケージに形成され得る。
【００２６】
前記シャーシーベースは、前記プラズマディスプレイパネル側に向かって折り曲げられる折り曲げ部を含み、前記折り曲げ部の幅は、前記ドライバー集積回路の幅より広くて前記プラズマディスプレイパネルの厚さの１/２より狭くあり得る。
【発明の効果】
【００２７】
本発明の一実施例によるプラズマディスプレイ装置は、電極に連結される柔軟回路を印刷回路ボードアセンブリーの延長面と予め設定された角度で交差する状態で印刷回路ボードアセンブリーに連結されるので、柔軟回路の長さを短縮することができる。
【００２８】
柔軟回路の長さが短くなることによって製造コストを減らして、柔軟回路周囲で発生するＥＭＩを減らす効果がある。ＥＭＩ遮蔽のための別途の構成要素を必要としない効果もある。
【発明を実施するための最良の形態】
【００２９】
以下、添付した図面を参照して、本発明の好ましい実施例について当業者が容易に実施することができるように詳細に説明する。しかしながら、本発明は多様に異なる形態で実現できるので、ここで説明する実施例に限定されるものではない。図面で本発明を明確に説明するために説明と関係ない部分は省略し、明細書全体を通じて同一又は類似した構成要素については同一な図面符号で示すものとする。
【００３０】
図１は本発明の一実施例によるプラズマディスプレイ装置の分解斜視図であり、図２は図１のＩＩ−ＩＩ線に沿った断面図である。
【００３１】
図１および図２を参照すると、本発明の実施例によるプラズマディスプレイ装置は、プラズマディスプレイパネル１１（以下、「ＰＤＰ」という）、放熱シート１３、シャーシーベース１５および印刷回路ボードアセンブリー１７を含んで構成される。
【００３２】
ＰＤＰ１１は、前面基板１１ａと背面基板１１ｂを含み、ガス放電を用いて画像を表示する。ＰＤＰ１１の一般的な構成および機能はすでに知られているものと同じである。
【００３３】
一方、本発明の実施例はＰＤＰ１１自体に関するものではなく、ＰＤＰ１１を支持する別途の構成要素の結合関係に関するものである。従って、ＰＤＰ１１の一般的な構成要素に関する具体的な説明を省略する。
【００３４】
放熱シート１３は、ＰＤＰ１１の背面に備えられてＰＤＰ１１の内部で局部的に発生する熱を速かに拡散させて、ＰＤＰ１１の全体平面に対する熱平衡を実現する。
【００３５】
例えば、放熱シート１３はアクリル系放熱材、グラファイト系放熱材、金属系放熱材、または炭素ナノチューブ系放熱材で形成できる。
【００３６】
図２を参照すると、シャーシーベース１５は、ＰＤＰ１１の背面に両面テープ１４を介在して付着されてＰＤＰ１１を支持する。例えば、シャーシーベース１５は、ＰＤＰ１１の背面に重ねられ、シャーシーベース１５の下端でＰＤＰ１１を向かって折り曲げられる折り曲げ部１５１を含む。
【００３７】
より具体的に見れば、折り曲げ部１５１はＰＤＰ１１の後方で背面基板１１ｂに向かって折り曲げられる。図２を参照すると、背面基板１１ｂの下端よりさらに低い位置に至る。従って、折り曲げ部１５１と背面基板１１ｂは予め設定された間隔（Ｃ）を維持する。
【００３８】
通常、シャーシーベース１５は金属で形成されるので、シャーシーベース１５から折り曲げられる折り曲げ部１５１もまた金属で形成される。これに比べて、背面基板１１ｂは折り曲げ部１５１と異なる材質のガラスで形成される。
【００３９】
組み立て衝撃のような外力によって、折り曲げ部１５１は一時的に変形できる。つまり、折り曲げ部１５１が背面基板１１ｂ側に曲がる場合、間隔（Ｃ）は緩衝空間を提供する。従って、折り曲げ部１５１の変形による背面基板１１ｂの破損が防止できる。
【００４０】
再び図１を参照すると、印刷回路ボードアセンブリー１７は、シャーシーベース１５の背面に装着されてＰＤＰ１１の電極に電気的に連結される。図２にはアドレス電極１２が示されて、表示電極は省略されている。
【００４１】
印刷回路ボードアセンブリー１７は、シャーシーベース１５に多数備えられるボス１８（図２および図３参照）上に置かれ、このボス１８に締結されるセットスクリュー１９で装着される。
【００４２】
印刷回路ボードアセンブリー１７は、表示電極のうちの維持電極（図示せず）を制御する維持電極駆動ボード１７ａ、表示電極のうちの走査電極（図示せず）を制御する走査電極駆動ボード１７ｂ、およびアドレス電極１２を制御するアドレスバッファーボード１７ｃを含む。
【００４３】
印刷回路ボードアセンブリー１７は、ロジックボード１７ｄとパワーサプライボード１７ｅをさらに含む。ロジックボード１７ｄは外部から映像信号を受信して、アドレス電極１２の駆動に必要な制御信号と維持電極および走査電極駆動に必要な制御信号を生成して、当該印刷回路ボードアセンブリー１７それぞれに印加する。パワーサプライボード１７ｅは、印刷回路ボードアセンブリー１７の駆動に必要な電源を供給する。
【００４４】
維持電極駆動ボード１７ａは柔軟回路で維持電極に連結され、走査電極駆動ボード１７ｂは柔軟回路で走査電極に連結される（図示せず）。アドレスバッファーボード１７ｃは柔軟回路２７でアドレス電極１２に連結される（図２参照）。
【００４５】
本発明の一実施例は、維持電極と維持電極駆動ボード１７ａの連結構造、走査電極と走査電極駆動ボード１７ｂの連結構造、およびアドレス電極１２とアドレスバッファーボード１７ｃを連結する連結構造に全て適用できる。
【００４６】
便宜上、本実施例では、維持電極と維持電極駆動ボード１７ａの連結構造、走査電極と走査電極駆動ボード１７ｂの連結構造、および各連結構造周囲に関する説明は省略し、アドレス電極１２とアドレスバッファーボード１７ｃの連結構造を例として説明する。
【００４７】
ドライバー集積回路２５が実装された柔軟回路２７を通じて、アドレス電極１２はアドレスバッファーボード１７ｃに連結される。つまり、維持電極または走査電極に連結される柔軟回路（図示せず）に比べて、アドレス電極１２に連結される柔軟回路２７はドライバー集積回路２５をさらに備える。
【００４８】
従って、本実施例でアドレス電極１２とアドレスバッファーボード１７ｃを連結する柔軟回路２７とドライバー集積回路２５およびその周囲に対して具体的に説明する。
【００４９】
柔軟回路２７は、アドレス電極１２の制御信号を発生させるドライバー集積回路２５を実装し、例えば、テープキャリアパッケージに形成できる。
【００５０】
柔軟回路２７は曲がって、アドレス電極１２とアドレスバッファーボード１７ｃに連結される。本実施例の柔軟回路２７は曲がりを最少化して、その連結長さを短く形成することによって、従来の技術に比べて、製造コストおよびＥＭＩを減らす。
【００５１】
例えば、柔軟回路２７は、アドレスバッファーボード１７ｃの延長面に対して予め設定された角度に交差しながらアドレスバッファーボード１７ｃに連結される。従来の技術において柔軟回路はアドレスバッファーボードと同一な方向に向かうようにアドレスバッファーボードに連結される。
【００５２】
図３は図２の柔軟回路周囲を分解した部分斜視図である。
【００５３】
図３、図２を参照して再び説明すると、柔軟回路２７は第１端２７１と第２端２７２を含む。第１端２７１はアドレス電極１２に連結され、第２端２７２はアドレスバッファーボード１７ｃに連結される。
【００５４】
また、柔軟回路２７の第１端２７１は、アドレス電極１２の伸張方向（ｙ軸方向）と同一方向に向かいながら、アドレス電極１２に連結される。
【００５５】
柔軟回路２７の第２端２７２は、アドレスバッファーボード１７ｃから延長される仮想の延長面（ｘｙ平面）と交差する方向（ｚ軸方向）に向かいながら、アドレスバッファーボード１７ｃに連結される。
【００５６】
まず、曲がった柔軟回路２７は、第１端２７１でこのような方向（ｙ軸方向）に延長される仮想の第１延長線（ＥＬ１）と、第２端２７２でこのような方向（ｚ軸方向）に延長される仮想の第２延長線（ＥＬ２）を有する。
【００５７】
柔軟回路２７がアドレス電極１２とアドレスバッファーボード１７ｃを連結する時、第１端２７１から延長される第１延長線（ＥＬ１）と第２端２７２から延長される第２延長線（ＥＬ２）は互いに交差する。
【００５８】
柔軟回路２７の第１、第２端２７１、２７２のうちの第２端２７２がアドレスバッファーボード１７ｃの延長面（ｘｙ平面）と交差する方向に連結されるので、柔軟回路２７は従来の技術に比べてあまり曲がらないようになる。これによって所要される柔軟回路２７の長さが短くなる。
【００５９】
図２を参照すると、第２端２７２とアドレスバッファーボード１７ｃが直角に交差する場合、柔軟回路２７の長さは最も短くすることができる。この時、柔軟回路２７は中間で曲線に曲がるが、第１延長線（ＥＬ１）と第２延長線（ＥＬ２）は互いに直交する。
【００６０】
柔軟回路２７の長さを短くする構成は多様に形成できる。例えば、柔軟回路２７の第２端２７２をアドレスバッファーボード１７ｃに直接付着したり結合する構造がありうる（図示せず）。この場合、アドレスバッファーボード１７ｃで第２端２７２が連結される部分を加工しにくいことがある。
【００６１】
図４はコネクタの斜視図である。
【００６２】
図４を参照すると、本実施例では柔軟回路２７の長さを短くするためにコネクタ５０を例示する。
【００６３】
コネクタ５０はアドレスバッファーボード１７ｃと柔軟回路２７の間に介される。つまり、コネクタ５０は柔軟回路２７の第２端２７２をアドレスバッファーボード１７ｃから延長される仮想の延長面（ｘｙ平面）に交差する方向（ｚ軸方向）に連結させる。
【００６４】
例えば、コネクタ５０は電気的に互いに連結されて、互いに交差する方向に向かって形成される第１結合口５１と第２結合口５２を含む。
【００６５】
第１結合口５１は、柔軟回路２７の第２端２７２に形成された第１端子５１１と結合して、第２結合口５２はアドレスバッファーボード１７ｃに形成された第２端子５２１に結合する。
【００６６】
第１結合口５１と第２結合口５２が交差形成されることによって、これらとそれぞれ結合されるアドレスバッファーボード１７ｃの延長面（ｘｙ平面）と柔軟回路２７の第２端２７２の第２延長線（ＥＬ２）（ｚ軸方向）は互いに交差する。
【００６７】
図２乃至図４に例示されたように、第１結合口５１と第２結合口５２が直角に形成されることによって、これらとそれぞれ結合されるアドレスバッファーボード１７ｃの延長面（ｘｙ平面）と柔軟回路２７の第２端２７２の第２延長線（ＥＬ２）（ｚ軸方向）は互いに直交する。
【００６８】
したがって、柔軟回路２７は第１端２７１側で１回曲がるが、第２端２７２側では曲がらない。結局、柔軟回路２７の長さは短くなって、これによって製造コストおよびＥＭＩが減る。
【００６９】
一方、柔軟回路２７はドライバー集積回路２５を実装するので、柔軟回路２７の長さを短くしながら、またドライバー集積回路２５を保護して放熱させる構造を考慮して見ることができる。
【００７０】
つまり、シャーシーベース１５の折り曲げ部１５１は、柔軟回路２７およびドライバー集積回路２５を支持および保護するように予め設定された幅（Ｗ１５１）を有する。折り曲げ部１５１の幅（Ｗ１５１）はドライバー集積回路２５の幅（Ｗ２５）より広くて、ＰＤＰ１１の厚さ（Ｔ１１）の１/２より狭い。より広い折り曲げ部１５１の幅（Ｗ１５１）はドライバー集積回路２５を安定的に支持する。
【００７１】
前面基板１１ａと背面基板１１ｂの厚さに比べて、両基板内部の厚さは無視するほど薄いので、ＰＤＰ１１の厚さ（Ｔ１１）は前面基板１１ａと背面基板１１ｂの厚さの合計と同じであると見られる。
【００７２】
したがって、ＰＤＰ１１の厚さ（Ｔ１１）の１/２より狭い折り曲げ部１５１の幅（Ｗ１５１）は実質的に折り曲げ部１５１が背面基板１１ｂの前面まで突き出されない大きさを意味する。
【００７３】
結局、ＰＤＰ１１の厚さ（Ｔ１１）の１/２より狭い折り曲げ部１５１の幅（Ｗ１５１）は、折り曲げ部１５１を囲みながら曲がる柔軟回路２７と折り曲げ部１５１の干渉を避けるようにすることによって、柔軟回路２７の損傷を防止させる（便宜上、図２で放熱シート１３を無視する場合）。
【００７４】
また、折り曲げ部１５１はドライバー集積回路２５を支持するが、ＰＤＰ１１を向かって折り曲げられるので、柔軟回路２７が曲がる経路を最少化させる。結果的に、柔軟回路２７は短い長さを有する。
【００７５】
一方、柔軟回路２７の第２端２７２とアドレスバッファーボード１７ｃの交差角度はアドレスバッファーボード１７ｃがシャーシーベース１５の折り曲げ部１５１の下にさらに長くなる場合、柔軟回路２７は直角より大きい角度に曲げられる（図示せず）。
【００７６】
柔軟回路２７の第１端２７１および第２端２７２がアドレス電極１２とアドレスバッファーボード１７ｃに連結される時、柔軟回路２７は背面基板１１ｂおよび折り曲げ部１５１を囲みながら曲がった状態を形成する。この時、柔軟回路２７に実装されたドライバー集積回路２５は折り曲げ部１５１に対応して位置する。
【００７７】
ドライバー集積回路２５の保護および放熱のためにカバープレート３１を適用できる。カバープレート３１は、柔軟回路２７およびドライバー集積回路２５を覆いながら、シャーシーベース１５の折り曲げ部１５１と平行に配置され、セットスクリュー１９によって折り曲げ部１５１に装着される。
【００７８】
柔軟回路２７とドライバー集積回路２５は、シャーシーベース１５の折り曲げ部１５１とカバープレート３１の間に位置する。したがって、ドライバー集積回路２５の駆動時に発生する熱を放出するために、シャーシーベースの折り曲げ部１５１とカバープレート３１の間には放熱構造が適用される。
【００７９】
例えば、カバープレート３１と折り曲げ部１５１に熱を放出することができるように、放熱パッド４１とサーマルグリース４２はドライバー集積回路２５の両側にそれぞれ提供されており、ドライバー集積回路２５をカバープレート３１と折り曲げ部１５１にそれぞれ連結する。
【００８０】
放熱パッド４１はドライバー集積回路２５と折り曲げ部１５１の間に介されて、折り曲げ部１５１に放熱し、サーマルグリース４２はドライバー集積回路２５とカバープレート３１の間に介されて、カバープレート３１に放熱する。
【００８１】
以上、本発明の好ましい実施例について説明したが、本発明の権利範囲はこれに限定されるものではなく、特許請求の範囲と発明の詳細な説明及び添付した図面の範囲内で多様に変形して実施するのが可能であり、これもまた本発明の範囲に属することは当然である。
【図面の簡単な説明】
【００８２】
【図１】本発明の一実施例によるプラズマディスプレイ装置の分解斜視図である。
【図２】図１のＩＩ−ＩＩ線に沿った断面図である。
【図３】図２の柔軟回路周囲を分解した部分斜視図である。
【図４】コネクタの斜視図である。
【符号の説明】
【００８３】
１１  プラズマディスプレイパネル、
１１ａ  前面基板、
１１ｂ  背面基板、
１２  アドレス電極、
１３  放熱シート、
１４  両面テープ、
１５  シャーシーベース、
１７  印刷回路ボードアセンブリー、
１７ａ  維持電極駆動ボード、
１７ｂ  走査電極駆動ボード、
１７ｃ  アドレスバッファーボード、
１７ｄ  ロジックボード、
１７ｅ  パワーサプライボード、
２５  ドライバー集積回路、
２７  柔軟回路、
３１  カバープレート、
４１  放熱パッド、
４２  サーマルグリース、
５０  コネクタ、
５１  第１結合口、
５２  第２結合口、
１５１  折り曲げ部、
２７１  第１端、
２７２  第２端
５１１  第１端子、
５２１  第２端子、
Ｃ  間隔、
Ｗ１５１  折り曲げ部の幅、
Ｗ２５  ドライバー集積回路の幅、
Ｔ１１  プラズマディスプレイパネルの厚さ、
ＥＬ１  第１延長線、
ＥＬ２  第２延長線。
【図１】
2009128896.tif 000003
【図２】
2009128896.tif 000004
【図３】
2009128896.tif 000005
【図４】
2009128896.tif 000006